(57)【要約】      （修正有）【課題】夏の太陽熱を遮断する高断熱性屋根材と施工方法を提供する。【解決手段】屋根平板１に当った太陽熱は下の折板２に向って輻射するが、アルミコーティング５面で反射され、魔法瓶効果で折板を透過出来ず、平板１と折板２間のエアダクト６内空気を熱する。熱せられて軽くなった空気は浮力でエアダクト６を上昇して屋外に排出され、代わって下から外気がエアダクト６に吸い込まれる。屋根の熱は、エアダクト６内の熱気となって屋外に排気されるから、最上階の室内には入れないのである。【選択図】図１
2005226446.tif 000002
【特許請求の範囲】
【請求項１】
平面の金属板或いは合成樹脂板と、折板のような凹凸のある金属板或いは合成樹脂板の夫々の一面を熱反射性物質でコーティングし、その面を向かい合わせに接着させた二重構造の屋根材。
【請求項２】
屋根施工の際、下地板に張る防水シートの上面を熱反射性物質でコーティングし、その上に両面を熱反射性物質でコーティングした凹凸のある金属板或いは合成樹脂板を置き、更にその上に、下面を熱反射性物質でコーティングした金属或いは合成樹脂の平板を載せた多重構造の屋根材。
【発明の詳細な説明】
【技術分野】
【０００１】    本発明は、高断熱性屋根材とその施工方法に関するものである。
【背景技術】
【０００２】    従来、日本の酷暑に耐える断熱性の高い屋根材は瓦のみであった。
【発明の開示】
【発明が解決しようとする課題】
【０００３】    そのために、次のような問題点があった。
（イ）瓦屋根は重量があり、地震、台風、豪雪に対する防災力が弱い。
（ロ）人工瓦屋根は薄く施工が難しく、断熱性が不充分で、値段も高い。
（ハ）鉄板屋根、プラスチィク屋根の断熱性は殆んどない。
（ニ）屋根裏の断熱材は、吸収熱の排出先が無いから、結局その熱を室内に長時間放出し続けるから、室温は上がる。
（ホ）それで屋根材の断熱性不足を、屋根裏空間を大きくし、暖まった空気を排気口から出そうと「小屋組み」工法が考えられた。しかし
１：  棟端の排気口は現実には役に立たず、最上階は耐え難い室温になる。
２：  複雑な「小屋組み」のため、工期、工事費が嵩む。
３：  防災力が不充分なため，台風で屋根が飛ばされ易い。
４：  傾斜屋根からの雪下ろしは危険で、屋根から落ちる事故が多い。
５：  屋上利用がしにくく、土地の有効活用がし難い。
以上のように、未だ解決出来ない課題が多く残されている。
【課題を解決するための手段】
【０００４】＊本屋根材の構造：
【請求項１】
の構造
【図１】
は本発明屋根材の断面概念図で、凹凸板として折板を採用した例である。平板１の下面と、折板２の上面は熱反射性物質例えばアルミでコーティングしてあり、且つ断熱力、接着力のある合成樹脂３で接着されている。平板１の上面と、折板の下面の塗装は随意である。
＊本発明屋根材の断熱原理：
太陽熱は上側の平板１を熱する。その熱は平板１の裏側から下方に輻射されるが、折板２上側のアルミコーティング面５で反射され、平板１へ向うが、裏側のコーティング面４で反射される。熱は行き所を失い、エアダクト６の魔法瓶効果で最終的にはエアダクト６内の空気を熱する。熱せられて軽くなった空気は自分の浮力でエアダクト６を上昇して、棟端の排気口から屋外に排出される。エアダクト６の下からは、外気が吸い込まれる事により、平板１の熱の大半は熱気となって屋外に排出される。
【０００５】多層高断熱性屋根材：
【請求項２】
の構造と断熱原理
【図２】
は凹凸板として波板を使った例である。平板１１と波板１２は断熱力と接着力のある合成樹脂で接着しても良いがこの例では敢えて省した。平板１１に入った熱は、裏面のコーティング面１７と、波板１２の表面コーティング面１８の魔法瓶効果で、エアダクト１５内の空気を熱し、エアダクト１５を上昇し排出される事は、上記と同じである。
次に、平板１１と波板１２との接触点での熱伝導と、エアダクト１５内の熱気とで、波板１２も少し温められる。その熱は防水シート１３に向って輻射されるが、防水シート１３上のコーティング２０と波板１２裏のコーティング１９の魔法瓶効果でエアダクト１６内の空気を少し暖める。その空気もエアダクト１６を上昇して屋外に排出される。
この多層屋根材は、前述の二層屋根材よりも断熱性は高いが、建築物の要求、施工の難易、コスト面等で、実施面で優劣が起こると思う。
【０００６】本発明の断熱性屋根材の「小屋組み」について：
（イ）棟に集まった暖気は合成樹脂パイプで集めて、排気する。
尚、この排気口には、手動リモコン付きのシャッターをつける。
（ロ）本屋根材は断熱性が高いので、「片流れ」屋根でも室温が外気温より高くなることは無い。
（ハ）豪雪地域では、傾斜角４５度以上の「切り妻」屋根を薦める。
【発明の効果】
【０００７】  本発明によって、以下のような効果が期待される。
（イ）屋根の断熱性能が飛躍的に上るから、屋根が熱くなっても、最上階の室温は外気温と同じで、冷房電力も少なく済む。
（ロ）屋根材のコストは若干上がるが、屋根面積の減少、小屋組み工事費の減少、工期の短縮等で総建築費は大幅に下がり、保守費も安くなる。
（ハ）屋根が軽くなり平になるので、屋根が建物本体に密着出来、地震や台風に対する防災力が高まる。
（ニ）「片流れ」にすると、太陽熱温水器、太陽光発電器が付け易くなる。
（ホ）屋上が造り易くなり、屋上生活を楽しむ人が増える。即ち、自分の利用出来る土地が２０坪程増える効果が都市部で起きる。
（ヘ）本発明の屋根材で、傾斜角４５度以上の「切り妻」にすれば、豪雪地帯の積雪は自重で落下し、雪下ろしが不要になる。
（ト）冬季、排気口をリモコンで閉じれば、屋根裏全部の大きな空気団が断熱材となり、屋根からの寒気は和らげられる。
（チ）バスや冷凍車の屋根に使えば、冷房装置を小型化、小電力化できる。
【発明を実施するための最良の形態】
【０００８】  以下、本発明の実施の形態について説明する。
（イ）板の形状、板厚、寸法
＊平板は市販品が使える。
上面は通常の屋根塗装をするが、豪雪地帯では雪の滑り易い塗料を選ぶ。
＊波板は市販品でも使えるが、波高の高い程断熱効果が大きくなるから、家庭用でも波高３ｃｍ位は欲しい。板厚は０．６−１ｍｍ位が適当。
屋上を造る場合は、波板より折板を薦める。折板使用のときは、平板からの熱伝導を防ぐ為、断熱力、接着力のある合成樹脂材を挟み、２枚を接着すると良い。
＊倉庫、工場の様な大型屋根には、折板で、板厚も１ｍｍ以上が必要。
＊板の寸法は、他の屋根材との混用を考え、同一規格にする。
（ロ）材質
価格、強度の点から鉄板が最適である。
（ハ）コーティング
材質はアルミや錫の塗装、電着、箔が適しているが、他の金属でも良い。
【図面の簡単な説明】
【０００９】
【図１】  本発明の二層屋根材の断面概念図
【図２】  多層高断熱性屋根材の断面概念図
【符号の説明】
【００１０】          １    平板
２    折板
３    断熱接着材
４    平板裏のコーティング
５    折板表面のコーティング
６    平板と折板間のエアダクト
１１    平板
１２    波板
１３    防水シート
１４    下地板
１５    平板と波板間のエアダクト
１６    波板と防水シート間のエアダクト
１７−２０    コーティング
【図１】
2005226446.tif 000003
【図２】
2005226446.tif 000004